(57)【特許請求の範囲】
【請求項１】
装置内部で光源から出力された光を測定光と参照光に分割し、体内に挿入されたプローブを介して体腔内に前記測定光を出射することにより得られた反射光と前記参照光とから得られる干渉光に基づいて断層像を形成する光干渉断層像形成装置であって、
前記プローブの先端部に設けられ、前記測定光を出射するとともに前記反射光を受光する送受信部を、回転及び軸方向移動させる走査駆動手段と、
前記送受信部を介して取得された反射光と前記参照光との干渉光から断層像に対応したデータを生成し、保持する保持手段と、
前記軸方向移動の間に、前記プローブを導くためのガイディングカテーテルの内部に前記送受信部が入ったことを前記データを用いて検出する検出手段と、
前記検出手段により前記送受信部が前記ガイディングカテーテルの内部に入ったことが検出された場合は、光干渉に基づいた断層像の生成から保持に関わる処理の少なくとも一部を停止する制御手段とを備え、
前記検出手段は、前記保持手段が保持するデータから所定の輝度値以上の所定径のリングが検出された場合に、前記ガイディングカテーテルの内部に前記送受信部が入ったことを検出することを特徴とする光干渉断層像形成装置。
【請求項２】
前記制御手段は、前記検出手段により前記送受信部が前記ガイディングカテーテルの内部に入ったことが検出された場合は、前記保持手段による前記データの保持を行わないように制御することを特徴とする請求項１に記載の光干渉断層像形成装置。
【請求項３】
前記制御手段は、前記検出手段により前記送受信部が前記ガイディングカテーテルの内部に入ったことが検出された場合に、前記送受信部の近傍へのフラッシュ液の注入を停止させることを特徴とする請求項１または２に記載の光干渉断層像形成装置。
【請求項４】
前記制御手段は、前記検出手段により前記送受信部が前記ガイディングカテーテルの内部に入ったことが検出された場合に、前記走査駆動手段による前記送受信部の前記回転及び前記軸方向移動を停止させることを特徴とする請求項１乃至３のいずれか１項に記載の光干渉断層像形成装置。
【請求項５】
前記保持手段に保持されたデータから、モニタへのリアルタイム表示を行うための２次元画像を構築する構築手段を更に備え、
前記検出手段は、前記構築手段により構築された２次元画像において、前記所定の輝度値以上の部位により前記所定径のリングが抽出された場合に、前記送受信部が前記ガイディングカテーテルの内部に入ったことを検出することを特徴とする請求項１乃至４のいずれか１項に記載の光干渉断層像形成装置。
【請求項６】
装置内部で光源から出力された光を測定光と参照光に分割し、体内に挿入するためのプローブを介して前記測定光を出射することにより得られた反射光と前記参照光とから得られる干渉光に基づいて断面画像を形成する光干渉断層像形成装置の制御方法であって、
走査駆動手段が、前記プローブの先端部に設けられ、前記測定光を出射するとともに前記反射光を受光する送受信部を、回転及び軸方向移動させる走査駆動工程と、
保持手段が、前記送受信部を介して取得された反射光と前記参照光との干渉光から断層像に対応したデータを生成し、記憶手段に保持する保持工程と、
検出手段が、前記軸方向移動の間に、前記プローブを導くためのガイディングカテーテルの内部に前記送受信部が入ったことを前記データを用いて検出する検出工程と、
制御手段が、前記検出工程で前記送受信部が前記ガイディングカテーテルの内部に入ったことが検出された場合は、光干渉に基づいた断層像の生成から保持に関わる処理の少なくとも一部を停止する制御工程とを有し、
前記検出工程では、前記保持工程において前記記憶手段に保持されたデータから所定の輝度値以上の所定径のリングが検出された場合に、前記ガイディングカテーテルの内部に前記送受信部が入ったことを検出することを特徴とする光干渉断層像形成装置の制御方法。
【発明の詳細な説明】
【技術分野】
【０００１】
本発明は、光干渉断層像形成装置及びその制御方法に関するものである。
【背景技術】
【０００２】
従来より、動脈硬化の診断や、バルーンカテーテル、ステント等の高機能カテーテルによる血管内治療時の術前診断、あるいは、術後の結果確認のために光干渉断層診断装置（OCT：Optical Coherent Tomography）が使用されている。光干渉断層診断装置は、先端に光学レンズおよび、光学ミラーを取付けた光ファイバを内蔵したカテーテルを血管内に挿入し、光学ミラーを回転させながら血管内に光を照射し、生体組織からの反射光を受光することでラジアル走査を行う。そして、光干渉断層診断装置では、このラジアル走査により得られた反射光をもとに、血管の断面画像を描出する。さらに、光干渉断層診断装置の改良型として、波長掃引を利用した光干渉断層診断装置も開発されている。
【０００３】
光干渉断層診断装置は、装置内部で、光源から出力される光を測定光と参照光に分割し、測定光をカテーテル内部の光ファイバを介して先端から出射する。そして、生体組織により反射された反射光を同じ光ファイバを介して装置内部へ取り込み、反射光と参照光とを干渉させることで、参照光と同じ光路長からの測定光の強度、すなわち、反射光の強度を得ることができる。
【０００４】
上述のような光干渉断層診断装置では、装置内部で参照光をミラーで反射させて反射光を得るとともに、ミラーの位置を前後に移動させることで、参照光の光路長を走査する。そして、この光路長の走査に同期させて参照光と反射光との干渉光を得ることで、深度方向の反射強度の分布を得ることができる。光干渉断層診断装置は、光ファイバを軸方向に回転させることによりラジアル走査を行い、血管断面画像を描出する。
【０００５】
一方、参照光の光路長を変化させる代わりに波長掃引を利用することで断面像を形成する光干渉断層診断装置も提案されている。波長掃引を利用した光干渉断層診断装置では、出射する光の波長を繰り返し掃引することで、参照光の光路長を走査することなく、得られた干渉光の周波数分布から、測定光と参照光の光路差が同じ点を基準とした深度方向の反射強度分布を得る。
【先行技術文献】
【特許文献】
【０００６】
【特許文献１】特開２００９−１２８０７４号公報
【発明の概要】
【発明が解決しようとする課題】
【０００７】
超音波診断装置では１ｍｍ／ｓｅｃ程度の速度でプルバック動作（超音波振動子を軸方向へ移動する動作）を行うため、術者が画面を見ながら観察したい領域を設定することが可能であった。一方、光干渉診断装置ではフラッシュ液により血液を除去している時間中に、高速にデータを取得するため、できるだけ長い距離を一度に記録し、のちほどスロー再生を行う方式が一般的である。このとき画像を記録する位置は、ＣＡＧやＯＦＤＩ画像を見ながら確認するが、記録の終了は、マニュアルで止めるか、プルバック可能な距離をすべて引ききることでおこなうしかなかった。
【０００８】
通常、カテーテルシースとイメージングコアを含むプローブを血管内の断層撮影位置まで導くためにガイディングカテーテルが用いられる。例えば、ガイディングカテーテルを大腿動脈を経て冠動脈の撮影位置近傍まで通し、ガイドワイヤーを用いてプローブを撮影位置へと導く。したがって、このような手技の際には、例えば図６に示すように、カテーテルシース（３０１）とイメージングコア（６０１，６０２，２３１）を含むプローブをガイディングカテーテルより突き出して走査を行うことになる。そのため、プルバック走査の途中で測定光を送信し反射光を受信するための送受信部がガイディングカテーテルの内部に入る。ガイディングカテーテルの内部に送受信部が入ると、観察したい部分への測定光或いは観察したい部分からの反射光が遮られてしまい、記録を続行しても意味のあるデータは得られない。しかしながら、十分に熟練した技術者と施設で取得したデータを解析した結果、取得したデータの３〜６割の長さでガイディングカテーテルが記録されており、これらはまったく不要なデータである。このように不要なデータを記録することによる課題を以下に詳述する。
【０００９】
画像を記録している際には、血液を除去するためなんらかのフラッシュ液をインジェクタもしくは造影シリンジなどにより注入している。たとえばフラッシュ液として造影剤を選択すると、通常１回のプルバック走査により１０〜２０ｍｌ程度の分量を注入することになるが、このうちの何割かはプローブがガイディングカテーテルに入って以後に注入されたものである。こうしたフラッシュ液の注入は患者の腎機能やその他の生理的な機能に影響を及ぼす可能性があり、フラッシュ液の注入は必要最小限に制限することが望ましい。
【００１０】
また、無駄な画像を記録することにより、データ容量は数割〜十割程度増え、当然のことながらデータハンドリングに要する時間も増加し、本来診断に使える時間を圧迫する。さらに検査データの保存のため必要なスペースも同様な割合で増加する。
【００１１】
本発明はこれらの課題の少なくとも一部を解決することを目的とする。すなわち、本発明は、たとえば不必要な情報の記録もしくは不必要なフラッシュ液の注入を低減することを目的とする。
【課題を解決するための手段】
【００１２】
上記の目的を達成するために本発明の一態様による光干渉断層像形成装置は以下の構成を備える。即ち、
装置内部で光源から出力された光を測定光と参照光に分割し、体内に挿入されたプローブを介して体腔内に前記測定光を出射することにより得られた反射光と前記参照光とから得られる干渉光に基づいて断層像を形成する光干渉断層像形成装置であって、
前記プローブの先端部に設けられ、前記測定光を出射するとともに前記反射光を受光する送受信部を、回転及び軸方向移動させる走査駆動手段と、
前記送受信部を介して取得された反射光と前記参照光との干渉光から断層像に対応したデータを生成し、保持する保持手段と、
前記軸方向移動の間に、前記プローブを導くためのガイディングカテーテルの内部に前記送受信部が入ったことを前記データを用いて検出する検出手段と、
前記検出手段により前記送受信部が前記ガイディングカテーテルの内部に入ったことが検出された場合は、光干渉に基づいた断層像の生成から保持に関わる処理の少なくとも一部を停止する制御手段とを備え、
前記検出手段は、前記保持手段が保持するデータから所定の輝度値以上の所定径のリングが検出された場合に、前記ガイディングカテーテルの内部に前記送受信部が入ったことを検出する。
【００１３】
また、上記の目的を達成するために本発明の他の態様による光干渉断層像形成装置の制御方法は、
装置内部で光源から出力された光を測定光と参照光に分割し、体内に挿入するためのプローブを介して前記測定光を出射することにより得られた反射光と前記参照光とから得られる干渉光に基づいて断面画像を形成する光干渉断層像形成装置の制御方法であって、
走査駆動手段が、前記プローブの先端部に設けられ、前記測定光を出射するとともに前記反射光を受光する送受信部を、回転及び軸方向移動させる走査駆動工程と、
保持手段が、前記送受信部を介して取得された反射光と前記参照光との干渉光から断層像に対応したデータを生成し、記憶手段に保持する保持工程と、
検出手段が、前記軸方向移動の間に、前記プローブを導くためのガイディングカテーテルの内部に前記送受信部が入ったことを前記データを用いて検出する検出工程と、
制御手段が、前記検出工程で前記送受信部が前記ガイディングカテーテルの内部に入ったことが検出された場合は、光干渉に基づいた断層像の生成から保持に関わる処理の少なくとも一部を停止する制御工程とを有し、
前記検出工程では、前記保持工程において前記記憶手段に保持されたデータから所定の輝度値以上の所定径のリングが検出された場合に、前記ガイディングカテーテルの内部に前記送受信部が入ったことを検出する。
【発明の効果】
【００１４】
本発明によれば、光干渉断層診断装置において、不必要なガイディングカテーテルの画像の記録を抑制することができる。このため、例えば、造影剤や生理食塩水等のフラッシュ液の減少、記録データ量の圧縮、操作時間の低減、バックアップ時間の低減、画像確認時間の低減が実現できる。
【図面の簡単な説明】
【００１５】
【図１】実施形態にかかる画像診断装置の外観構成を示す図。
【図２】画像診断装置１００の機能構成を示すブロック図。
【図３】光プローブの全体構成を示す図。
【図４】光プローブの先端部の構成を示す図。
【図５】光プローブにおいて駆動シャフトをカテーテルシースに対して相対的にスライドさせた様子を示す図。
【図６】血管内における光プローブによる回転走査、軸方向移動を説明する模式図。
【図７】計測光の照射と反射光強度を説明する図。
【図８】血管内における光プローブの動作を説明するための模式図。
【図９】信号処理部の機能ブロックを示した図。
【図１０】血管内腔の断層像とガイディングカテーテル内腔の断層像の例を示す図。
【図１１】実施形態による断層像取得処理を説明するフローチャート。
【図１２】光プローブの送受信部がガイディングカテーテル内腔に存在することを検出するための処理を示すフローチャート。
【図１３】波長掃引利用の光干渉断層画像診断装置の機能構成を示すブロック図。
【発明を実施するための形態】
【００１６】
以下、添付図面を参照しながら本発明の各実施形態を詳細に説明する。
【００１７】
［第１実施形態］
第１実施形態では、参照光の光路長を走査して深度方向の反射強度分布を得る体腔内光干渉断層診断装置（ＯＣＴ装置）について説明する。
【００１８】
１．画像診断装置の外観構成
図１は第１実施形態にかかる画像診断装置１００（光干渉断層画像診断装置）の外観構成を示す図である。図１に示すように、光干渉断層像形成装置としての画像診断装置１００は、光プローブ部１０１と、スキャナ／プルバック部１０２と、操作制御装置１０３とを備え、スキャナ／プルバック部１０２と操作制御装置１０３とは、信号線／光ファイバ１０４により接続されている。
【００１９】
光プローブ部１０１は、直接血管等の体腔内に挿入され、後述するイメージングコアを用いて体腔内部の状態を測定する。スキャナ／プルバック部１０２は、光プローブ部１０１と着脱可能に構成されており、内蔵されたモータが駆動することで光プローブ部１０１内のイメージングコアのラジアル動作を規定する。
【００２０】
操作制御装置１０３は、体腔内光干渉断層診断を行うにあたり、各種設定値を入力するための機能や、測定により得られたデータを処理し、断層画像として表示するための機能を備える。操作制御装置１０３において、１１１は本体制御部であり、測定により得られたデータを処理したり、処理結果を出力したりする。１１１−１はプリンタ／ＤＶＤレコーダであり、本体制御部１１１における処理結果を印刷したり、データとして記憶したりする。１１２は操作パネルであり、ユーザは該操作パネル１１２を介して、各種設定値及び指示の入力を行う。１１３は表示装置としてのＬＣＤモニタであり、本体制御部１１１における処理結果を表示する。
【００２１】
２．光干渉断層画像診断装置の機能構成
次に、本実施形態にかかる画像診断装置１００のうち、光干渉断層画像診断装置の主たる機能構成について図２を用いて説明する。
【００２２】
図２において、２０９は超高輝度発光ダイオード等の低干渉性光源である。低干渉性光源２０９は、その波長が１３１０ｎｍ程度で、その可干渉距離（コヒーレント長）が数μｍ〜１０数μｍ程度であるような短い距離範囲でのみ干渉性を示す低干渉性光を出力する。このため、この光を２つに分割した後、再び混合した場合には分割した点から混合した点までの２つの光路長の差が数μｍ〜１０数μｍ程度の短い距離範囲内の場合には干渉光として検出されることとなり、それよりも光路長の差が大きい場合は干渉光として検出されることがない。
【００２３】
低干渉性光源２０９の光は、第１のシングルモードファイバ２２８の一端に入射され、先端面側に伝送される。第１のシングルモードファイバ２２８は、途中の光カップラ部２０８で第２のシングルモードファイバ２２９及び第３のシングルモードファイバ２３２と光学的に結合されている。光カップラ部とは、１つの光信号を２つ以上の出力に分割したり、入力された２つ以上の光信号を１つの出力に結合したりすることができる光学部品であり、低干渉性光源２０９の光は、当該光カップラ部２０８により最大で３つの光路に分割して伝送されうる。
【００２４】
第１のシングルモードファイバ２２８の光カップラ部２０８より先端側には、スキャナ／プルバック部１０２が設けられている。スキャナ／プルバック部１０２の回転駆動装置２０４内には、非回転部（固定部）と回転部（回転駆動部）との間を結合し、光を伝送する光ロータリジョイント（光カップリング部）２０３が設けられている。更に、光ロータリジョイント２０３内の第４のシングルモードファイバ２３０の先端側は、光プローブ部１０１の第５のシングルモードファイバ２３１と、アダプタ２０２を介して着脱自在に接続されている。これにより光の送受信を繰り返すイメージングコア２０１内に挿通され回転駆動可能な第５のシングルモードファイバ２３１に、低干渉性光源２０９からの光が伝送される。
【００２５】
第５のシングルモードファイバ２３１に伝送された光は、イメージングコア２０１の先端側から血管内の生体組織に対してラジアル動作しながら照射される。そして、生体組織の表面あるいは内部で散乱した反射光の一部はイメージングコア２０１により取り込まれ、逆の光路を経て第１のシングルモードファイバ２２８側に戻り、光カップラ部２０８によりその一部が第２のシングルモードファイバ２２９側に移る。第２のシングルモードファイバ２２９において反射光は後述の参照光と混合され、第２のシングルモードファイバ２２９の一端から干渉光として出射され、光検出器２１０（例えばフォトダイオード）にて受光される。
【００２６】
なお、光ロータリジョイント２０３の回転駆動部側は回転駆動装置２０４のラジアル走査モータ２０５により回転駆動される。また、ラジアル走査モータ２０５の回転角度は、エンコーダ部２０６により検出される。更に、スキャナ／プルバック部１０２は、直線駆動装置２０７を備え、信号処理部２１４からの指示に基づいて、イメージングコア２０１の軸方向（体腔内の末梢方向およびその反対方向）の移動（軸方向動作）を規定している。軸方向動作は、信号処理部２１４からの制御信号に基づいて、直線駆動装置２０７が光ロータリジョイント２０３を含むスキャナを移動させることにより実現される。
【００２７】
この際、光プローブ部１０１のカテーテルシース（図３、図５により後述）は血管内に固定されたままで、カテーテルシース内に格納されているイメージングコア２０１のみが軸方向に移動することで、血管壁を傷つけることなく軸方向動作が行われる。
【００２８】
一方、第３のシングルモードファイバ２３２の光カップラ部２０８と反対側（参照光路）には、参照光の光路長を変える光路長の可変機構２１６が設けてある。この光路長の可変機構２１６は生体組織の深さ方向（測定光の出射の方向）の検査範囲に相当する光路長を高速に変化させる第１の光路長変化手段と、光プローブ部１０１を交換して使用した場合の個々の光プローブ部１０１の長さのばらつきを吸収できるように、その長さのバラツキに相当する光路長を変化させる第２の光路長変化手段とを備えている。
【００２９】
第３のシングルモードファイバ２３２の先端に対向して、この先端とともに１軸ステージ２２０上に取り付けられ、矢印２２３に示す方向に移動自在のコリメートレンズ２２１を介して、ミラー２１９が配置されている。また、このミラー２１９（回折格子）と対応するレンズ２１８を介して微小角度回動可能なガルバノメータ２１７が第１の光路長変化手段として取り付けられている。このガルバノメータ２１７はガルバノメータコントローラ２２４により、矢印２２２方向に高速に回転される。
【００３０】
ガルバノメータ２１７はガルバノメータのミラーにより光を反射させるものであり、参照ミラーとして機能するガルバノメータに交流の駆動信号を印加することによりその可動部分に取り付けたミラーを高速に回転させるように構成されている。つまり、ガルバノメータコントローラ２２４より、ガルバノメータ２１７に対して駆動信号が印加され、該駆動信号により矢印２２２方向に高速に回転することで、参照光の光路長が、生体組織の深さ方向の検査範囲に相当する光路長だけ高速に変化することとなる。この光路差の変化の一周期が一ライン分の干渉光を取得する周期となる。
【００３１】
一方、１軸ステージ２２０は光プローブ部１０１を交換した場合に、光プローブ部１０１の光路長のバラツキを吸収できるだけの光路長の可変範囲を有する第２の光路長変化手段として機能する。さらに、１軸ステージ２２０はオフセットを調整する調整手段としての機能も備えている。例えば、光プローブ部１０１の先端が生体組織の表面に密着していない場合でも、１軸ステージ２２０により光路長を微小変化させることにより、生体組織の表面位置からの反射光と干渉させる状態に設定することができる。
【００３２】
光路長の可変機構２１６で光路長が変えられた光は第３のシングルモードファイバ２３２の端部に設けられた光カップラ部２０８で第１のシングルモードファイバ２２８側から得られた光（反射光）と混合されて、干渉光として光検出器２１０にて受光される。このようにして光検出器２１０にて受光された干渉光は光電変換され、アンプ２１１により増幅される。
【００３３】
その後、復調器２１２に入力され、復調器２１２では干渉した光の信号部分のみを抽出する復調処理を行い、その出力はＡ／Ｄ変換器２１３に入力される。Ａ／Ｄ変換器２１３では、干渉光信号を例えば２００ポイント分サンプリングして１ラインのデジタルデータ（「干渉光データ」）を生成する。この場合、サンプリング周波数は、光路長の１走査の時間を２００で除した値となる。
【００３４】
Ａ／Ｄ変換器２１３で生成されたライン単位の干渉光データは、信号処理部２１４に入力される。信号処理部２１４では生体組織の深さ方向の干渉光データをビデオ信号に変換することにより、血管内の各位置での断層画像を生成し、所定のフレームレートでＬＣＤモニタ１１３に出力する。また、信号処理部２１４は、更に光路長調整手段制御装置２２６と接続されている。信号処理部２１４は光路長調整手段制御装置２２６を介して１軸ステージ２２０の位置の制御を行う。また、信号処理部２１４はモータ制御回路２２５と接続され、ラジアル走査モータ２０５の回転駆動を制御する。更に、信号処理部２１４は、参照ミラー（ガルバノメータミラー）の光路長の走査を制御するガルバノメータコントローラ２２４と接続されており、ガルバノメータコントローラ２２４は信号処理部２１４へ駆動信号を出力する。モータ制御回路２２５では、この駆動信号を用いることによりガルバノメータコントローラ２２４との同期をとっている。２９０は、断層撮影時にフラッシュ液を注入するためのインジェクタ装置である。２８０は通信部であり、信号処理部２１４とインジェクタ装置２９０との間の通信を行う。
【００３５】
３．光プローブ部１０１の全体構成
次に光プローブ部１０１の全体構成について図３を用いて説明する。図３に示すように、光プローブ部１０１は、直接血管等の体腔内に挿入される長尺のカテーテルシース３０１と、ユーザが操作するために体腔内に挿入されずユーザの手元側に配置されるコネクタ部３０２とにより構成される。カテーテルシース３０１の先端には、ガイドワイヤルーメン用チューブ３０３が形成されており、カテーテルシース３０１は、ガイドワイヤルーメン用チューブ３０３との接続部分からコネクタ部３０２との接続部分にかけて連続する管腔として形成されている。
【００３６】
カテーテルシース３０１の管腔内部には、測定光を送受信する送受信部（図４の４０１）を備えるハウジング３２１と、それを回転させるための駆動力を伝送する駆動シャフト３２２とを備えるイメージングコア２０１が、カテーテルシース３０１のほぼ全長にわたって挿通されている。
【００３７】
コネクタ部３０２は、カテーテルシース３０１の基端に一体化して構成された手元部３０２ａと駆動シャフト３２２の基端に一体化して構成された接続コネクタ３０２ｂとからなる。手元部３０２ａとカテーテルシース３０１の境界部には、耐キンクプロテクタ３１１が設けられている。これにより所定の剛性が保たれ、急激な変化による折れ曲がり（キンク）を防止することができる。接続コネクタ３０２ｂの基端は、後述するスキャナ／プルバック部１０２と接続可能に構成されている。３１２は、インジェクタ装置２９０と接続され、断層像撮影時に撮影対象の内腔にフラッシュ液を注入するためのポートである。
【００３８】
４．光プローブ部の先端部の構成
次に、光プローブ部１０１の先端部の構成について図４を用いて説明する。図４に示すように、カテーテルシース３０１の管腔内部には、測定光を送信し、反射光を受信する送受信部４０１が配されたハウジング３２１と、それを回転させるための駆動力を伝送する駆動シャフト３２２とを備えるイメージングコア２０１がほぼ全長にわたって挿通されており、光プローブ部１０１を形成している。なお、送受信部４０１は、図６により後述するように、光学ミラー６０１、光学レンズ６０２を有する。
【００３９】
送受信部４０１は、体腔内組織に向けて測定光を送信するとともに、体腔内組織からの反射光を受信する。駆動シャフト３２２はコイル状に形成され、その内部にはシングルモードの光ファイバ２３１が配されている。
【００４０】
ハウジング３２１は、短い円筒状の金属パイプの一部に切り欠き部を有した形状をしており、金属塊からの削りだしやＭＩＭ（金属粉末射出成形）等により成形される。ハウジング３２１は、内部に送受信部４０１を有し、基端側は駆動シャフト３２２と接続されている。また、先端側には短いコイル状の弾性部材４０２が設けられている。
【００４１】
弾性部材４０２はステンレス鋼線材をコイル状に形成したものであり、弾性部材４０２が先端側に配されることで、イメージングコア２０１を前後移動させる際にカテーテルシース内での引っかかりを防止する。４０３は補強コイルであり、カテーテルシース３０１の先端部分の急激な折れ曲がりを防止する目的で設けられている。
【００４２】
ガイドワイヤルーメン用チューブ３０３は、ガイドワイヤが挿入可能なガイドワイヤ用ルーメンを有する。ガイドワイヤルーメン用チューブ３０３は、ガイディングカテーテルを用いて予め血管等の体腔内に挿入されたガイドワイヤを受け入れ、ガイドワイヤによってカテーテルシース３０１を患部（断層像取得位置）まで導くのに使用される。
【００４３】
駆動シャフト３２２は、カテーテルシース３０１に対して送受信部４０１を回転動作及び軸方向動作させることが可能であり、柔軟で、かつ回転をよく伝送できる特性をもつ、例えば、ステンレス等の金属線からなる多重多層密着コイル等により構成されている。
【００４４】
駆動シャフト３２２は、カテーテルシース３０１に対して回転及びスライド動作することが可能であり、柔軟で、かつ回転をよく伝達できる特性をもつ、例えば、ステンレス等の金属線からなる多重多層密着コイル等により構成されている。駆動シャフト３２２の回転により管腔内を３６０度観察することが可能となるが、更に広範囲を観察するには、駆動シャフト３２２を軸方向にスライドさせればよい。
【００４５】
図５は、駆動シャフト３２２をカテーテルシース３０１に対して相対的にスライドさせた様子（プルバックの様子）を示す図である。同図に示すように、手元部３０２ａは固定した状態で、接続コネクタ３０２ｂを基端側に（矢印５０１方向に）スライドさせれば、内部の駆動シャフト３２２やその先端に固定されたハウジング３２１が軸方向にスライドすることとなる。この軸方向のスライドは、ユーザが手動で行ってもよいし、電動で行っても良いが、本実施形態では、信号処理部２１４の制御下で直線駆動装置２０７が有する直線駆動モータにより行われるものとする。なお、接続コネクタ３０２ｂの先端側には、高速回転する駆動シャフト３２２が露出しないように、保護内管５０２が設けられている。
【００４６】
５．光プローブ部１０１の動作
ハウジング３２１と駆動シャフト３２２を有するイメージングコア２０１の内部には、図６に示すように光学ミラー６０１、光学レンズ６０２を先端に取付けた光ファイバ２３１が配置されている。そして、光学ミラー６０１及び光ファイバ２３１を回転させることでラジアル走査が行われる。図７に示すように、光プローブ部１０１が血管内に挿入された状態で低干渉性光源２０９から出力された光が、光ファイバ２３１を経由して、先端の光学ミラー６０１により向きを変え、血管の断面方向に出射される。そして、その反射光が同じ光ファイバ２３１を通り装置内部に入力される。そして、この反射光の反射強度により、血管の断層像が得られることになる。また、ラジアル走査モータ２０５の回転により、先端の光学ミラー６０１を円周方向に回動することで、血管内の所定位置における各方向の反射光を取得することができる。
【００４７】
図８は血管内断層撮影時の光プローブ部１０１の動作を説明するための模式図である。図８（ａ）、（ｂ）はそれぞれ光プローブ部１０１が挿入された状態の血管の断面図および斜視図である。
【００４８】
図８（ａ）において、８０１は光プローブ部１０１が挿入された血管断面を示している。上述のように、光プローブ部１０１はその先端に光学レンズ６０２、光学ミラー６０１が取り付けられており、ラジアル走査モータ２０５により矢印８０２方向に回転する。
【００４９】
光学レンズ６０２からは、各回転角度にて測定光の送信／受信が行われる。ライン１、２、…、５１２は各回転角度における超音波の送信方向を示している。本実施形態では、光学ミラー６０１及び光学レンズ６０２を含む送受信部４０１が所定の血管断面８０１の位置で３６０度回動する間に、５１２回の測定光の送信／受信が断続的に行われる。なお、３６０度回動する間における測定光の送信／受信回数は特にこれに限られず、任意に設定可能であるものとする。このように、送受信部４０１を回転させながら信号の送信／受信を繰り返すスキャン（走査）を、一般に「ラジアルスキャン（ラジアル走査、回転走査）」という。
【００５０】
また、このような送受信部４０１による測定光の送信／反射光の受信は、送受信部４０１が血管内を矢印８０３の方向（図８（ｂ））に進みながら行われる。
【００５１】
６．信号処理部２１４の詳細構成及び動作
次に、図９を用いて、画像診断装置１００の信号処理部２１４における処理の概要について説明する。図９は、信号処理部２１４の詳細構成ならびに関連する機能ブロックを示した図である。
【００５２】
上述したように、光カップラ部２０８は、光ファイバ２３１を通して入力された反射光と第３のシングルモードファイバ２３２を伝わる参照光とから干渉光を生成する。生成された干渉光の干渉強度は、光検出器２１０、アンプ２１１、復調器２１２により電気信号に変換されてＡ／Ｄ変換器２１３に供給される。ここで、参照光は光路長変更用のミラーであるガルバノメータ２１７により、３ｍｍ程度の光路長が走査される。すなわち、参照光の光路長の走査により、体腔内の各深度からの反射強度が走査されることになる。ここで、走査範囲を３ｍｍとしているのは、深度３ｍｍまでを描出するからであり、特にこの値に限定されるものではない。
【００５３】
Ａ／Ｄ変換器２１３では、復調器２１２から出力された信号を２００ポイント分サンプリングして、１ラインのデジタルデータを生成する。このとき、サンプリング周波数は光路長の１走査の時間を２００で除した値とする。このようにすれば、深度３ｍｍに対して２００点のデジタルデータを得ることができる。ただし、このデータ点数についても、後段で行われる処理方法により、自由に決められるもので、この値に限定されるものではない。Ａ／Ｄ変換器２１３で生成されたデジタルデータ（光干渉データ）は、信号処理部２１４に出力される。
【００５４】
Ａ／Ｄ変換器２１３で生成された干渉光データは、まずラインメモリ部９０１に供給される。ラインメモリ部９０１では、モータ制御回路２２５から出力されるモータのエンコーダ信号をもとに、送受信部４０１の１回転あたりのライン数が５１２本となるように処理し、後段のラインデータ生成部に出力する。
【００５５】
ラインデータ生成部９０２は、干渉光データに対してライン加算平均処理、フィルタ処理、対数変換処理等を施し、生体組織の深さ方向の干渉光強度データを生成することで、ラインデータを生成する。生成されたラインデータはラインデータ記憶部９０８に格納される。なお、本実施形態では、例えば、１６０ｆｐｓで１画面分（送受信部４０１の１回転分）のラインデータ、すなわち５１２本のラインデータを取得し、ラインデータ記憶部９０８に記憶する。また、ラインデータ生成部９０２は、３０ｆｐｓのペースでＬＣＤモニタ１１３へ表示するための２次元画像を生成するために後段の信号後処理部９０３にラインデータを出力する。したがって、本実施形態では、ラジアル走査とプルバック走査により１６０ｆｐｓで取得されるデータのうち、３０ｆｐｓのレートでモニタ用の２次元画像が生成され、ＬＣＤモニタ１１３にリアルタイムで表示されることになる。なお、１６０ｆｐｓ、３０ｆｐｓは一例を示したものであり、これに限定されるものではない。
【００５６】
信号後処理部９０３では、ラインデータに対してコントラスト調整、輝度調整、ガンマ補正、フレーム相関、シャープネス処理等を行い、処理したラインデータを画像構築部９０４（ＤＳＣ）に出力する。画像構築部９０４では、極座標のラインデータ列をＲθ変換することで２次元の断層画像を生成した後、ビデオ信号に変換し、血管断面画像としてＬＣＤモニタ１１３に表示する。ガイディングカテーテル検出部９０５は、画像構築部９０４で生成された画像からガイディングカテーテルを検出し、送受信部４０１がガイディングカテーテルの内腔に入ったか否かを判定する。そして、ガイディングカテーテル検出部９０５は、送受信部４０１がガイディングカテーテルの内腔に入ったと判定した場合には、その旨を制御部９０７に通知する。なお、本実施形態では一例として、５１２ラインから断層画像を生成することとしているが、このライン数に限定されるものではない。また、制御部９０７は上述した各部及び以下に説明するガイディングカテーテル検出部９０５を統括的に制御する。
【００５７】
また、プルバック走査の終了後、制御部９０７は、操作パネル１１２からのユーザ指示に応じて、信号後処理部９０３と画像構築部９０４を制御して、ラインデータ記憶部９０８に記憶されたラインデータから２次元画像を生成しＤＶＤレコーダ１１１−１等に記録する。
【００５８】
次に、画像構築部９０４で生成されたガイディングカテーテル検出部９０５の処理について説明する。図１０に光干渉断層診断装置によって取得された断層画像の例を示す。図１０（ａ）は、送受信部４０１がガイディングカテーテルから露出している状態であり、血管の内腔の画像が取得されていることがわかる。一方、図１０（ｂ）は、送受信部４０１がガイディングカテーテルの内腔に入った状態で得られた断層画像である。ガイディングカテーテルはプラスチックの管に金属のブレードが編みこまれた形状が一般的である。図１０（ｂ）の画像から明らかなとおり、ガイディングカテーテルの形状は規則的で、血管と比べて径が小さいので、高輝度部分をトレースすることで、ガイディングカテーテルの像１００１を容易に血管と区別することができる。たとえば、画面中央から放射方向に輝度をプロットし、その微分成分が大きいところを内腔とする。内腔を周方向にプロットし、シームレスに円が描けた場合をガイディングカテーテルとする。
【００５９】
なお、上述したガイディングカテーテルの検出アルゴリズムは単なる一例であり、これに限定されるものではない。例えば、
（１）所定の輝度値以上の部位をプロットすることにより所定径（ガイディングカテーテルの径）のリングが検出された場合に、当該リングがガイディングカテーテルであると判定する、
（２）所定の輝度値以上のリングが検出され、当該リングの外側の輝度が所定値以下となる場合（リングの外側が観察できない場合）に当該リングがガイディングカテーテルであると判定する、
というような判定方法を用いることもできる。或いは、複数種類の判定方法を組み合わせて用いてもよい。更に、画像からガイディングカテーテルが検出されたとの判定が複数フレームにわたって続いた場合に送受信部４０１がガイディングカテーテルの内腔に入ったと判定するようにしても良い。また、送受信部４０１がガイディングカテーテルの内腔に入ったと判定された場合に、ラインデータの生成及び格納を停止するとともに、ラジアル走査、プルバック走査を停止させてもよい。
【００６０】
図１１は本実施形態の信号処理部２１４による光干渉断層像取得処理を説明するフローチャートである。ユーザからの操作パネル１１２への撮影開始指示に応じて、制御部９０７は、モータ制御回路２２５、直線駆動装置２０７に対して駆動指示を行い、イメージングコア２０１の回転走査及び軸方向移動を開始する（Ｓ１０１）。なお、第１実施形態では、フラッシュ液の供給は手動で行っても自動で行っても良いものとする。
【００６１】
回転走査が開始されると、上述したようにラインメモリ部９０１、ラインデータ生成部９０２がラインデータを生成し、これをラインデータ記憶部９０８に記憶する（Ｓ１０２）。本実施形態では、上述したように、ラインデータが例えば毎秒１６０フレーム（１６０ｆｐｓ）生成されるものとする。
【００６２】
また、本実施形態において、撮影中の画像がＬＣＤモニタ１１３にリアルタイムに表示されるが、ＬＣＤモニタ１１３に表示する画像は毎秒３０フレーム（３０ｆｐｓ）とする。本実施形態では、この表示に用いられる画像を利用してガイディングカテーテルの検出を行なう。但し、撮影中のリアルタイムなモニタ表示に用いられる画像は、診断を目的としたものではないので、ラインデータが持つ解像度よりも低い解像度の画像としてもよい。そのような場合にも、本実施形態のガイディングカテーテルの検出は実施可能である。制御部９０７は、モニタ表示用の２次元画像を生成するタイミングか否かを判定し、２次元画像を生成するタイミングでなければ処理をＳ１０２に戻す（Ｓ１０３）。一方、２次元画像を生成するタイミングであれば、処理はＳ１０４に進む。なお、以下に説明するＳ１０４〜Ｓ１０７の処理の間も、ラインメモリ部９０１、ラインデータ生成部９０２によるラインデータの生成、格納は継続して行われる。
【００６３】
モニタ用画像の生成タイミングになると、制御部９０７の指示により、ラインデータ生成部９０２はラインデータをラインデータ記憶部９０８に格納するとともに、信号後処理部９０３へ送る。そして、信号後処理部９０３及び画像構築部９０４がＬＣＤモニタ１１３に表示するための２次元画像を生成し（Ｓ１０４）、生成した画像をＬＣＤモニタ１１３に表示する（Ｓ１０５）。また、ガイディングカテーテル検出部９０５は、Ｓ１０４で生成されたモニタ用の２次元画像からガイディングカテーテルの像を検出することにより、送受信部４０１がガイディングカテーテル６２０の内腔に入ったか否かを判定する（Ｓ１０６）。そして、ガイディングカテーテルの内腔に入っていないと判定された場合は、処理はＳ１０２に戻り、上述した処理を繰り返す（Ｓ１０７）。一方、Ｓ１０６において、送受信部４０１がガイディングカテーテルの内腔に入っていると判定された場合は、制御部９０７は、光干渉断層像の生成から保持に関わる処理の少なくとも一部を停止する。本実施形態では、例えば、ラインメモリ部９０１、ラインデータ生成部９０２によるラインデータの生成、格納が停止される（Ｓ１０７，Ｓ１０８）。そして、制御部９０７は、イメージングコア２０１の回転走査及び軸方向移動を停止する（Ｓ１０９）。
【００６４】
図１２は、Ｓ１０６における処理（送受信部４０１がガイディングカテーテルの内腔にあるか否かの判定）の一例を示すフローチャートである。ガイディングカテーテル検出部９０５は、上述した方法により、画像構築部９０４がモニタ用の画像として生成した２次元画像からガイディングカテーテルの像を検出する。例えば、２次元画像において閾値以上の輝度を持つ部分をトレースし、所定径のリングを抽出する。ここで、所定径とはガイディングカテーテル６２０の内径に相当する径である。もちろん、この所定径が許容範囲を有するように設定されても良い。Ｓ２０１において所定径のリングが抽出できた場合は、変数ｎを１増加させる（Ｓ２０２、Ｓ２０３）。そして、ｎが４より大きくなった場合に、当該２次原画像がガイディングカテーテルの内腔である（すなわち、送受信部４０１がガイディングカテーテル６２０の内腔にある）と判定する（Ｓ２０４、Ｓ２０５）。他方、Ｓ２０１で所定径のリングが抽出できなかった場合は、変数ｎをゼロに設定する（Ｓ２０２、Ｓ２０６）。以上の処理によれば、５回連続して所定径のリングが抽出された場合に、送受信部４０１がガイディングカテーテルの内腔にあると判定されることになる。なお、図１２では、所定径のリング（ガイディングカテーテルの像）を５回以上連続して検出した場合にガイディングカテーテルの内腔であると判定したが、この回数は本例に限られるものではない。例えば、１回でもガイディングカテーテルが検出されるとラインデータの生成、格納を停止するようにしても良い。また、ステップＳ１０９において、インジェクタ装置２９０によるフラッシュ液の注入を停止するようにしても良い。
【００６５】
以上のように、第１実施形態によれば、測定光及び反射光のための送受信部がガイディングカテーテルの内腔に入ったことの検出に応じて、データの取得を停止するので、無駄なデータの取得を防止できる。また、ガイディングカテーテルの検出に、モニタ用に生成した画像を流用するので、当該検出のために別途２次元画像を生成する必要がない。また、上述したように、リアルタイム表示用に解像度を落として２次元画像を生成する構成とした場合には、低解像度の２次元画像からガイディングカテーテルの抽出が行われることになるため、計算量が低減される。なお、ガイディングカテーテルは形状が規則的で且つ高輝度であるため比較的検出がしやすく、リアルタイム表示のための低解像度の２次元画像からでも検出が可能である。
【００６６】
［第２実施形態］
第２実施形態では、光干渉断層診断装置（ＯＣＴ装置）の信号処理部２１４が、フラッシュ液を注入するためのインジェクタ装置２９０と通信部２８０を介して通信し、フラッシュ液の中の開始、停止を制御する。すなわち、信号処理部２１４の制御部９０７は、ガイディングカテーテル検出部９０５により送受信部４０１がガイディングカテーテルの内腔に入ったと判定されると、通信部２８０を介してインジェクタ装置２９０と通信を行い、フラッシュ液の注入を停止させる。例えば、図１１のＳ１０１においてインジェクタ装置２９０に対してフラッシュ液の注入を開始させ、Ｓ１０８においてフラッシュ液の注入を停止させる。すなわち、第２実施形態では、送受信部４０１がガイディングカテーテルの内腔に入ったことの検出に応じて停止させる、光干渉断層像の生成から保持に関わる処理の一部を、フラッシュ液の注入としている。なお、通信部２８０が備えるインターフェースの通信規格についてはＲＳ−２３２ＣやＵＳＢなどを用いたシリアル通信でもよいし、専用の信号であってもよいし、通信規格は限定されない。なお、余分なフラッシュ液の注入を防止することを目的とした場合、Ｓ１０８においてラインデータの生成、格納を停止するか否かはオプションである。
【００６７】
［第３実施形態］
以上、第１、第２実施形態では、参照光の光路長を走査して深度方向の反射強度分布を得る光干渉断層診断装置（ＯＣＴ装置）を用いたが、本発明は、波長掃引を利用する光干渉断層診断装置に適用することもできる。第３実施形態では、画像診断装置として波長掃引利用の光干渉断層画像診断装置を用いた場合を説明する。
【００６８】
図１３は、波長掃引利用の画像診断装置１００の機能構成を示す図である。１３０８は波長掃引光源であり、Swept Laserが用いられる。Swept Laserを用いた波長掃引光源１３０８は、Extended-cavity Laserの一種であり、ＳＯＡ１３１５（semiconductoroptical amplifier）とリング状に結合された光ファイバ１３１６を有する光源部１３０８ａと、ポリゴンスキャニングフィルタ１３０８ｂよりなる。ＳＯＡ１３１５から出力された光は、光ファイバ１３１６を進み、ポリゴンスキャニングフィルタ１３０８ｂに入り、ここで波長選択された光は、ＳＯＡ１３１５で増幅され、最終的にカプラ１３１４から出力される。
【００６９】
ポリゴンスキャニングフィルタ１３０８ｂでは、光を分光する回折格子１３１２とポリゴンミラー１３０９との組み合わせで波長を選択する。具体的には、回折格子１３１２により分光された光を２枚のレンズ（１３１０、１３１１）によりポリゴンミラー１３０９の表面に集光させる。これによりポリゴンミラー１３０９と直交する波長の光のみが同一の光路を戻り、ポリゴンスキャニングフィルタ１３０８ｂから出力されることとなるため、ポリゴンミラー１３０９を回転させることで、波長の時間掃引を行うことができる。ポリゴンミラー１３０９は、例えば、３２面体のミラーが使用され、回転数が５００００ｒｐｍ程度である。ポリゴンミラー１３０９と回折格子１３１２とを組み合わせた波長掃引方式により、高速、高出力の波長掃引が可能である。カプラ１３１４から出力された波長掃引光源１３０８の光は、第１のシングルモードファイバ２２８の一端に入射される。
【００７０】
また、波長掃引利用の画像診断装置１００では光路長の走査は不要であるため、可変機構２１６において、ガルバノメータ２１７の代わりに固定ミラー１２１７が設けられている。
【００７１】
第１実施形態で説明したように、光カップラ部２０８において反射光と参照光の干渉光が生成され、光検出器２１０により干渉光に応じた電気信号が生成される。Ａ／Ｄ変換器２１３では、干渉光信号を例えば１８０ＭＨｚで２０４８ポイント分サンプリングして、１ラインのデジタルデータ（干渉光データ）を生成する。なお、サンプリング周波数を１８０ＭＨｚとしたのは、波長掃引の繰り返し周波数を８０ｋＨｚにした場合に、波長掃引の周期（１２．５μｓｅｃ）の９０％程度を２０４８点のデジタルデータとして抽出することを前提としたものであり、特にこれに限定されるものではない。
【００７２】
Ａ／Ｄ変換器２１３にて生成されたライン単位の干渉光データは、信号処理部２１４に入力される。信号処理部２１４のラインメモリ部９０１ではラジアル走査モータによる送受信部４０１の１回転あたりのライン数が５１２本となるように処理された後、後段のラインデータ生成部９０２に出力される。ラインデータ生成部９０２は、干渉光データに対してＦＦＴ（高速フーリエ変換）を行って周波数分解して深さ方向のデータを生成する。すなわち、光路長の走査をすることなく、深度方向のデータを取得することができるため、第１実施形態のＯＣＴ装置に比べて高速のデータ取得が可能になる。そして、ライン加算平均処理、フィルタ処理、対数変換処理等を施し、生体組織の深さ方向の干渉光強度データを生成することで、ラインデータを生成し、該生成したラインデータをラインデータ記憶部９０８に格納するとともに、必要に応じて信号後処理部９０３へ供給する。以降の処理は第１実施形態と同様である。
【００７３】
したがって、第１実施形態や第２実施形態で説明した処理を波長掃引利用の画像診断装置１００に適用することが可能であり、第１、第２実施形態で説明したような効果を得ることができる。
【００７４】
なお、第１実施形態では、ラインデータの生成、格納を停止することで、無駄な画像が記録されることを防止したが、これに限られるものではない。例えば、送受信部４０１がガイディングカテーテル内に入ったことが検出された場合に、ラインデータ生成部９０２が生成したラインデータに所定のマーク情報を付加しておき、ＤＶＤレコーダ１１１−１へ画像を記録する際に、当該マーク情報が付加された以降のラインデータについては画像記録を禁止するようにしてもよい。
【００７５】
以上説明したように、上記各実施形態によれば、不必要な情報の記録もしくは不必要なフラッシュ液の注入を低減することが可能となる。
【図１】
0005485760.tif 000002
【図２】
0005485760.tif 000003
【図３】
0005485760.tif 000004
【図４】
0005485760.tif 000005
【図５】
0005485760.tif 000006
【図６】
0005485760.tif 000007
【図７】
0005485760.tif 000008
【図８】
0005485760.tif 000009
【図９】
0005485760.tif 000010
【図１１】
0005485760.tif 000011
【図１２】
0005485760.tif 000012
【図１３】
0005485760.tif 000013
【図１０】
0005485760.tif 000014